(57)【要約】【課題】直列に接続された複数のＬＥＤのうち、外部からの補助電源により、当該補助電源が接続された接続点から順方向のＬＥＤのみを点灯し、ＬＥＤの特性を効果的に利用して非常時に対応することができる照明装置を提供する。【解決手段】主電源２からの給電が停止した場合に、補助電源４からの給電でＬＥＤを点灯する照明装置３において、前記主電源２に接続し、複数のＬＥＤ２１を直列に接続した照明部５と、前記照明部５における前記複数のＬＥＤ２１の任意の接続中点２５に配設された外部入力端子６とを備え、前記主電源２からの給電が停止した場合に、前記外部入力端子６に前記補助電源４を接続して給電し、前記照明部５のＬＥＤ２１のうち、前記外部入力端子６の順方向に接続されたＬＥＤ２１を点灯する。【選択図】図２
2011090968.tif 000002
【特許請求の範囲】
【請求項１】
主電源からの給電が停止した場合に、補助電源からの給電でＬＥＤを点灯するＬＥＤ照明装置において、
前記主電源に接続し、複数のＬＥＤを直列に接続した照明部と、
前記照明部における前記複数のＬＥＤの任意の接続中点を一端とし、前記複数のＬＥＤの順方向端末を他端とする外部入力端子とを備え、
前記主電源からの給電が停止した場合に、前記外部入力端子に前記補助電源を接続して給電し、前記照明部のＬＥＤのうち、前記接続中点の順方向に接続されたＬＥＤを点灯することを特徴とするＬＥＤ照明装置。
【請求項２】
請求項１に記載のＬＥＤ照明装置において、
複数の前記照明部が前記主電源と並列に接続され、前記複数の照明部ごとに前記任意の接続中点を外部入力端子の一端とし、前記各照明部における複数のＬＥＤの順方向端末を前記外部入力端子の他端とし、前記補助電源が前記外部入力端子と接続することで、前記照明部と前記補助電源とが並列接続されることを特徴とするＬＥＤ照明装置。
【請求項３】
請求項２に記載のＬＥＤ照明装置において、
前記補助電源が、前記複数の照明部ごとに当該照明部の外部に配設されたダイオード及び抵抗を介して並列に接続されていることを特徴とするＬＥＤ照明装置。
【請求項４】
請求項１ないし３のいずれかに記載のＬＥＤ照明装置において、
前記主電源によるＬＥＤの点灯と前記補助電源によるＬＥＤの点灯とを、トランジスタを用いて切り替えることを特徴とするＬＥＤ照明装置。
【請求項５】
請求項１ないし４のいずれかに記載のＬＥＤ照明装置において、
前記外部入力端子の近傍に配設され、少なくとも外部入力端子に光を照射する補助ＬＥＤと、
前記主電源から供給される電荷で蓄電し、当該蓄電した電力を前記補助ＬＥＤに供給する蓄電手段とを備え、
前記主電源からの給電が停止した場合に、前記蓄電手段により前記補助ＬＥＤを点灯することを特徴とするＬＥＤ照明装置。
【請求項６】
請求項１ないし５のいずれかに記載のＬＥＤ照明装置において、
前記主電源が商用電源であり、前記補助電源が自動車のバッテリであることを特徴とするＬＥＤ照明装置。
【発明の詳細な説明】
【技術分野】
【０００１】
本発明は、主電源からの給電が停止した場合に、補助電源によりＬＥＤを点灯するＬＥＤ照明装置に関する。
【背景技術】
【０００２】
近年、長時間の使用、省エネルギー、省資源等を実現できるＬＥＤ（Ｌｉｇｈｔ−Ｅｍｉｔｔｉｎｇ  Ｄｉｏｄｅの頭文字であり、発光ダイオードである）が注目され、一般的な光源として広く利用されている。それに伴い、停電等により商用の電源からの給電が停止した場合に、非常用の電源によりＬＥＤを発光する技術が開示されている（例えば、特許文献１ないし３を参照）。
【０００３】
特許文献１に示す技術は、ＬＥＤ照明パッケージは、建物配線等の電力線により電力が供給される第１の通常電力モードで、通常の仕方で動作する。この動作モードでは、５つの列の５０個すべてのＬＥＤが発光され、通常の部屋のアンビエント照明を実現する。停電中に通常の電力が失われる場合、その電力ロスが検知され、パッケージは、電池により電力が供給される第２のモードで動作する。この補助電池モードでは、ＬＥＤ列のうちの１つのみが発光され、建物の占有者等が安全に出口に移動して建物から出ることができるように非常照明が与えられる。
【０００４】
特許文献２に示す技術は、バッテリー電源の電圧に適応した負荷となるように、３個の白色発光ダイオードと電流制限抵抗とを直列接続してなる多数の小回路ユニットと、この小回路ユニットを全波整流器の直流出力電圧に適応した負荷となるように、６組、逆流防止用整流素子を介して直列に接続してなる複数の大回路ユニットを備え、この各大回路ユニットを全波整流器の出力端間に並列に接続し、さらに、各小回路ユニットの両端間にそれぞれの逆流防止用整流素子を通してバッテリー電源からＤＣ２４Ｖの電圧が並列に供給される接続構成にしたものである。
【０００５】
特許文献３に示す技術は、少なくとも車両用信号機、歩行者用信号機、交通指示標識を備え、商用電源で運用される交通管理システムに、停電時に商用電源に替わって前記交通管理システムに電力を供給する燃料電池発電装置を備えた交通管理システム用非常用燃料電池発電装置の運用方法であって、商用電源が停電し、燃料電池発電装置が運転された場合、その運転時間が予め定められた時間以上となった場合又は燃料電池の残燃料量が予め定められた所定量以下となった場合に、交通管理システムを通常運転時より少ない消費電力の節電モードで運転するものである。
【先行技術文献】
【特許文献】
【０００６】
【特許文献１】特開２００８−２７０２１２号公報
【特許文献２】特開２００１−１５２７８号公報
【特許文献３】特開２００７−８７１５４号公報
【発明の概要】
【発明が解決しようとする課題】
【０００７】
しかしながら、特許文献１に示す技術は、交流電源と電池とが接続されている必要があり、そのことで電池からＬＥＤ列への配線の引き回しが必要となり、回路構成が煩雑になってしまうという課題を有する。また、電池を使ってＬＥＤの列ごとに点灯するものであり、直列に接続された複数ＬＥＤの任意の接続中点から順方向のＬＥＤのみを点灯させる技術ではないため、ダイオードが有する一方向にのみ通電する機能を有効に活用した技術ではない。
【０００８】
特許文献２に示す技術は、商用電源の場合であってもバッテリ電源の場合であっても、全ての発光ダイオードが点灯するものであり、バッテリ電源の場合には、供給される電圧値が低いため、全ての発光ダイオードを点灯させると各発光ダイオードの照度が低くなってしまうという課題を有する。
【０００９】
特許文献３に示す技術は、信号機、標識等の交通システムに関する技術であり、本発明とは適用対象が相違すると共に、直列に接続された複数ＬＥＤの任意の接続中点から順方向のＬＥＤのみを点灯させる技術ではないため、ダイオードが有する一方向にのみ通電する機能を有効に活用した技術ではない。
【００１０】
そこで、本発明は、直列に接続された複数のＬＥＤのうち、外部からの補助電源により、当該補助電源が接続された接続中点から順方向のＬＥＤのみを点灯し、ＬＥＤの特性を効果的に利用して非常時に対応することができる照明装置を提供することを目的とする。
【課題を解決するための手段】
【００１１】
本願に開示する照明装置は、主電源からの給電が停止した場合に、補助電源からの給電でＬＥＤを点灯するＬＥＤ照明装置において、前記主電源に接続し、複数のＬＥＤを直列に接続した照明部と、前記照明部における前記複数のＬＥＤの任意の接続中点を一端とし、前記複数のＬＥＤの順方向端末を他端とする外部入力端子とを備え、前記主電源からの給電が停止した場合に、前記外部入力端子に前記補助電源を接続して給電し、前記照明部のＬＥＤのうち、前記接続中点の順方向に接続されたＬＥＤを点灯することを特徴とするものである。
【００１２】
このように、本願に開示する照明装置においては、主電源からの給電が停止した場合に、複数のＬＥＤを直列に接続した照明部における任意の接続中点を一端とし、複数のＬＥＤの順方向端末を他端とする外部入力端子に補助電源を接続して給電し、照明部のＬＥＤのうち、接続中点の順方向に接続されたＬＥＤを点灯するため、ダイオードが有する一方向にのみ通電する機能を有効に活用したシンプルな回路構成で、主電源からの給電が停止したような非常時にも点灯対象となるＬＥＤを十分な照度で点灯することができるという効果を奏する。
なお、補助電源は外部入力端子と常時接続していなくても、非常時に接続可能な状態であればよい。
【００１３】
本願に開示する照明装置は、複数の前記照明部が前記主電源と並列に接続され、前記複数の照明部ごとに前記任意の接続中点を外部入力端子の一端とし、前記各照明部における複数のＬＥＤの順方向端末を前記外部入力端子の他端とし、前記補助電源が前記外部入力端子と接続することで、前記照明部と前記補助電源とが並列接続されることを特徴とするものである。
【００１４】
このように、本願に開示する照明装置においては、複数の照明部が主電源と並列に接続されており、前記複数の照明部ごとに前記任意の接続中点を外部入力端子の一端とし、前記各照明部における複数のＬＥＤの順方向端末を前記外部入力端子の他端とし、前記補助電源が前記外部入力端子と接続することで、前記照明部と前記補助電源とが並列接続されるため、直列に接続された一部のＬＥＤを複数列に亘って点灯することができ、非常時であっても必要最低限の照度と光の照射範囲を確保することができるという効果を奏する。
【００１５】
本願に開示する照明装置は、前記補助電源が、前記複数の照明部ごとに当該照明部の外部に配設されたダイオード及び抵抗を介して並列に接続されていることを特徴とするものである。
【００１６】
このように、本願に開示する照明装置においては、補助電源が、複数の照明部ごとに当該照明部の外部に配設されたダイオード及び抵抗を介して並列に接続されているため、主電源の電圧値を抑えることができると共に、各照明部ごとに独立した回路となっており、いずれかの照明部に問題が発生した場合であっても、被害を最小限に抑えることができるという効果を奏する。
【００１７】
特に、ＬＥＤの個数と主電源の電圧値によっては電位差に余裕がない場合があり、主電源の電圧値を抑えることは非常にメリットがある。また、補助電源を使用する場合は、災害等が原因で主電源からの給電が停止している場合があり、災害により主電源だけではなく照明部にも問題が発生している可能性が高いことから、このように各照明部ごとに独立した回路とすることで、被害を最小限に抑えることができる。
【００１８】
本願に開示する照明装置は、前記主電源によるＬＥＤの点灯と前記補助電源によるＬＥＤの点灯とを、トランジスタを用いて切り替えることを特徴とするＬＥＤ照明装置。
このように、本願に開示する照明装置においては、主電源によるＬＥＤの点灯と前記補助電源によるＬＥＤの点灯とを、トランジスタを用いて切り替えるため、切り替えの制御機能を有する複雑な回路構成ではなく、シンプルな回路構成で電源の切り替えをスムーズに行うことができるという効果を奏する。
【００１９】
本願に開示する照明装置は、前記外部入力端子の近傍に配設され、少なくとも外部入力端子に光を照射する補助ＬＥＤと、前記主電源から供給される電荷で蓄電し、当該蓄電した電力を前記補助ＬＥＤに供給する蓄電手段とを備え、前記主電源からの給電が停止した場合に、前記蓄電手段により前記補助ＬＥＤを点灯することを特徴とするものである。
【００２０】
このように、本願に開示する照明装置においては、外部入力端子の近傍に配設され、少なくとも外部入力端子に光を照射する補助ＬＥＤと、主電源から供給される電荷で蓄電し、当該蓄電した電力を補助ＬＥＤに供給する蓄電手段とを備え、主電源からの給電が停止した場合に、蓄電手段により補助ＬＥＤを点灯するため、補助電源と外部入力端子とが常時接続されていない場合であっても、外部入力端子に光を照射して接続作業を迅速で効率よく行うことができるという効果を奏する。
【００２１】
本願に開示する照明装置は、前記主電源が商用電源であり、前記補助電源が自動車のバッテリであることを特徴とするものである。
このように、本願に開示する照明装置においては、主電源が商用電源であり、補助電源が自動車のバッテリであるため、災害等で商用電源からの給電が停止された場合であっても、車のバッテリを使って緊急にＬＥＤを点灯することが可能になるという効果を奏する。また車のバッテリの場合は、発電しながら給電することができるため、長時間を利用が可能になるという効果を奏する。
【図面の簡単な説明】
【００２２】
【図１】第１の実施形態に係る照明装置を含む照明システムの構成図である。
【図２】第１の実施形態に係る照明装置の基本回路を示す図である。
【図３】第１の実施形態に係る照明措置の第１の回路例を示す図である。
【図４】第１の実施形態に係る照明装置の第２の回路例を示す図である。
【図５】第２の実施形態に係る照明装置の回路例を示す図である。
【図６】第３の実施形態に係る照明装置を含む照明システムの構成図である。
【図７】第３の実施形態に係る照明装置における補助ＬＥＤを点灯するための回路図である。
【発明を実施するための形態】
【００２３】
以下、本発明の実施の形態を説明する。本発明は多くの異なる形態で実施可能である。従って、本実施形態の記載内容のみで本発明を解釈すべきではない。また、本実施形態の全体を通して同じ要素には同じ符号を付けている。
【００２４】
（本発明の第１の実施形態）
本実施形態に係る照明装置について、図１ないし図４を用いて説明する。図１は、本実施形態に係る照明装置を含む照明システムの構成図、図２は、本実施形態に係る照明装置の基本回路を示す図、図３は、本実施形態に係る照明装置の第１の回路例を示す図、図４は、本実施形態に係る照明装置の第２の回路例を示す図である。
【００２５】
図１において、照明システム１は、商用電源からの交流電圧を直流電圧に変換する主電源２と、主電源２が変換した直流電圧により複数のＬＥＤを点灯する照明装置３と、商用電源からの給電が停止された場合に、照明装置３のＬＥＤの一部を点灯するための直流電圧を照明装置３に供給する補助電源４とを備える。
【００２６】
照明装置３は、主電源２に接続し、複数のＬＥＤが直列に接続されて（以下、ＬＥＤ列とする）形成される照明部５を有する。ＬＥＤ列の任意の接続中点には、補助電源４と接続するための外部入力端子６が接続されている。外部入力端子６が接続される任意の接続中点の位置は、補助電源４の電圧値に応じて設定される。
【００２７】
照明部５は、一又は複数のＬＥＤ列からなっており、複数のＬＥＤ列が配設される場合には、ＬＥＤ列ごとに主電源２と並列接続される。また、各ＬＥＤ列は、直列に接続されたＬＥＤの任意の接続中点でそれぞれ外部入力端子６に接続しており、補助電源４は全てのＬＥＤ列と接続可能となっている。
【００２８】
なお、補助電源４と外部入力端子６は常時接続されてもよいし、商用電源からの給電が停止した非常時のみ接続するようにしてもよい。常時接続する場合は、常に電力量や接続系統のメンテナンスが必要になり作業に手間が掛かってしまうため、非常時のみ接続することが好ましい。また、補助電源４の具体例として自動車のバッテリを用いてもよい。そうすることで、災害等で主電源からの給電が停止された場合であっても、車のバッテリを使って緊急にＬＥＤを点灯することが可能になり、また車のバッテリの場合は、発電しながら給電することができるため、長時間を利用が可能になる。
【００２９】
図２は、照明装置１の基本回路図であり、図２（Ａ）が主電源２からの給電によりＬＥＤ２１を点灯する場合の回路図で、図２（Ｂ）が主電源２からの給電が停止しており、補助電源４からの給電によりＬＥＤ２１を点灯する場合の回路図である。ここではＬＥＤ列を１列のみ記載している。
【００３０】
図２（Ａ）において、照明部５は複数のＬＥＤ２１が直列に接続されたＬＥＤ列２０からなり、ＬＥＤ列２０は、電流値を制限するための抵抗Ｒ１を介して主電源２に接続している。ＬＥＤ列２０における任意の接続中点２５（ここでは、下流側から数えて３つ目と４つ目のＬＥＤ２１の接続中点とする）には、補助電源４と接続するための外部入力端子６が接続されており、外部入力端子６とＬＥＤ列２０との間には、電流値を制限するための抵抗Ｒ２、及び電流の逆流を防止するダイオードＤ１が配設されている。主電源２からＤＣ電圧が印加されると、抵抗Ｒ１を介してＬＥＤ列２０内の全てのＬＥＤ２１を点灯させる。
【００３１】
なお、ここではＬＥＤ列２０の順方向の端末をグランドで表記しているが、ＬＥＤ列２０の順方向の端末を主電源２に接続し、外部入力端子６の一端を接続中点２５、他端をＬＥＤ列２０の順方向の端末と接続してもよい。
【００３２】
図２（Ｂ）において、主電源２からの給電が停止した場合には、外部入力端子６に補助電源４が接続され、補助電源４からＤＣ電圧が印加される。補助電源４からＤＣ電圧が印加されると、ダイオードＤ１、及び抵抗Ｒ２を介して、接続中点２５の順方向の３個のＬＥＤ２１を点灯させる。このとき、主電源２からの給電は停止しており、またダイオードの特性として電流を一方向にしか通電しないという特性を有することから、接続中点２５の逆方向のＬＥＤ２１には電流が流れることがなく、接続中点２５の逆方向のＬＥＤ２１は点灯しない。
【００３３】
図３は、照明装置１の第１の回路例であり、図３（Ａ）が主電源２からの給電によりＬＥＤ２１を点灯する場合の回路図で、図３（Ｂ）が主電源２からの給電が停止しており、補助電源４からの給電によりＬＥＤ２１を点灯する場合の回路図である。図２の場合と異なり、ＬＥＤ列２０が複数備えられており、各ＬＥＤ列２０は、抵抗Ｒ１を介して主電源２と並列に接続されている。また、各ＬＥＤ列２０の接続中点２５は、ＬＥＤ列２０ごとに外部入力端子６と接続されており、主電源２からの給電が停止した場合に、補助電源４が外部入力端子６に接続することで、全てのＬＥＤ列２０の接続中点２５の順方向のＬＥＤ２１に給電可能となる。図３に示すように配線の交差をなくす回路にすることで、片面基板に実装することが可能となる。
【００３４】
なお、この場合も各ＬＥＤ列２０の順方向の端末をグランドで表記しているが、各ＬＥＤ列２０の順方向の端末を主電源２に接続し、外部入力端子６の一端を各ＬＥＤ列２０の接続中点２５、他端を各ＬＥＤ列２０の順方向の端末と接続してもよい。
【００３５】
図４は、照明装置１の第２の回路例であり、図４（Ａ）が主電源２からの給電によりＬＥＤ２１を点灯する場合の回路図で、図４（Ｂ）が主電源２からの給電が停止しており、補助電源４からの給電によりＬＥＤ２１を点灯する場合の回路図である。図３の場合と異なり、外部入力端子６と各ＬＥＤ列２０の接続中点２５とが、各ＬＥＤ列２０の外部に配設されたダイオードＤ１、及び抵抗Ｒ２を介して並列に接続されている。主電源２からの給電が停止した場合に、補助電源４が外部入力端子６に接続することで、全てのＬＥＤ列２０における接続中点２５の順方向のＬＥＤ２１に給電可能となる点では図３の場合と同じであるが、図４の場合は、抵抗Ｒ２がＬＥＤ列２０の外部で接続しているため、図３の場合と比較して主電源２の電圧を低くすることができる。また、各ＬＥＤ列２０が独立した回路となっており、あるＬＥＤ列２０に問題が発生してＬＥＤ２１が点灯しないような事態が生じた場合であっても、他のＬＥＤ列２０のＬＥＤ２１は点灯させることができ、被害を最小限に抑えることができる。
【００３６】
なお、図３、及び図４の場合の回路において、仮に１５個のＬＥＤ２１（容量を５０Ｗとする）が直列に接続されたＬＥＤ列２０を１０列配設（つまり、１５個×１０列＝１５０個のＬＥＤ２１を配設）し、下流側から数えて３つ目と４つ目の間の接続中点２５に外部入力端子６を接続すると、非常時に自動車用のバッテリＤＣ１２Ｖで３個×１０列＝３０個のＬＥＤ２１を点灯することができる。自動車用のバッテリを用いることで、発電しながら給電することができ、長時間の点灯が可能となる。
【００３７】
このように、本実施形態に係る照明装置によれば、主電源からの給電が停止した場合に、複数のＬＥＤを直列に接続した照明部における任意の接続中点を一端とし、複数のＬＥＤの順方向端末を他端とする外部入力端子に補助電源を接続して給電し、照明部のＬＥＤのうち、接続中点の順方向に接続されたＬＥＤを点灯するため、ダイオードが有する一方向にのみ通電する機能を有効に活用したシンプルな回路構成で、主電源からの給電が停止したような非常時にも点灯対象となるＬＥＤを十分な照度で点灯することができる。
【００３８】
また、複数の照明部が主電源と並列に接続されており、補助電源が外部入力端子と接続することで、全ての照明部（ＬＥＤ列２０）と補助電源とが並列接続されるため、直列に接続されたＬＥＤを複数列点灯することができ、非常時であっても必要最低限の照度と光の照射範囲を確保することができる。
【００３９】
さらに、複数の照明部が主電源と並列に接続されており、複数の照明部ごとに前記任意の接続中点を外部入力端子の一端とし、前記各照明部における複数のＬＥＤの順方向端末を前記外部入力端子の他端とし、前記補助電源が前記外部入力端子と接続することで、全ての前記照明部と前記補助電源とが並列接続されるため、直列に接続されたＬＥＤを複数列点灯することができ、非常時であっても必要最低限の照度と光の照射範囲を確保することができる。
【００４０】
さらにまた、補助電源が、複数の照明部ごとに当該照明部の外部に配設されたダイオード及び抵抗を介して並列に接続されているため、主電源の電圧値を抑えることができると共に、各照明部ごとに独立した回路となっており、いずれかの照明部に問題が発生した場合であっても、被害を最小限に抑えることができる。
さらにまた、図３に示すように配線の交差をなくすことで、片面基板に実装することができ、構造を簡素化して小型化すことができる。
【００４１】
（本発明の第２の実施形態）
本実施形態に係る照明装置について、図５を用いて説明する。図５は、本実施形態に係る照明装置の回路例を示す図である。なお、本実施形態において、前記第１の実施形態と重複する説明については省略する。
【００４２】
本実施形態に係る照明装置３は、主電源２からの給電と補助電源４からの給電の切り替えを、トランジスタを介して行うものである。トランジスタにはＮチャネルＭＯＳＦＥＴ、及びＰチャネルＭＯＳＦＥＴを用いる。図５に示すように、主電源２からダイオードＤ２を介して、ＮチャネルのＦＥＴ５１とＰチャネルのＦＥＴ５２とを直列に接続し、補助電源４が、ＦＥＴ５１とＦＥＴ５２との間でダイオードＤ１を介して接続されている。主電源２からの給電が行われている場合は、ゲートにプラス電圧が掛かるため、ＦＥＴ５１がＯＮ、ＦＥＴ５２がＯＦＦとなり、補助電源４による外部入力端子６からの給電が行われない。主電源２からの給電が停止されると、ゲートにマイナスの電圧が掛かるため、ＦＥＴ５１がＯＦＦ、ＦＥＴ５２がＯＮとなり、補助電源４からの給電が行われる。つまり、ダイオードを接続しただけの簡単な回路で、主電源２からの給電の有無に応じた補助電源４からの給電を制御することができる。
【００４３】
このように、本実施形態に係る照明装置によれば、主電源によるＬＥＤの点灯と補助電源によるＬＥＤの点灯とを、トランジスタを用いて切り替えるため、切り替えの制御機能を有する複雑な回路構成ではなく、シンプルな回路構成で電源の切り替えをスムーズに行うことができる。
【００４４】
（本発明の第３の実施形態）
本実施形態に係る照明装置について、図６、及び図７を用いて説明する。図６は、本実施形態に係る照明装置を含む照明システムの構成図、図７は、本実施形態に係る照明装置における補助ＬＥＤを点灯するための回路図である。なお、本実施形態において、前記第１の実施形態と重複する説明については省略する。
【００４５】
図６において、本実施形態に係る照明装置３は、前記外部入力端子６の近傍に配設され、少なくとも外部入力端子６に光を照射する補助ＬＥＤ７に主電源２から供給される電荷を蓄電する蓄電手段８を備え、主電源２からの給電が停止した場合に、蓄電部８より供給される電力で補助ＬＥＤ７を点灯することで外部入力端子６と補助電源４との接続作業を効率的に行うものである。
【００４６】
図６と前記第１の実施形態における図１とで異なるのは、照明装置３が、主電源２から供給される電荷で蓄電する蓄電部８と、蓄電部８から電力を供給され少なくとも外部入力端子６を照射する補助ＬＥＤ７とを備えることである。
【００４７】
主電源２から給電が行われている間に蓄電部８に電荷を貯めておき、主電源２からの給電が停止した場合には、蓄電部８に貯めておいた電荷で補助ＬＥＤ７を点灯する。補助ＬＥＤ７は、少なくとも外部入力端子６に光を照射するため、外部入力端子６と補助電源４が常時接続されていない場合であっても、非常時にすばやく接続することができる。また、補助ＬＥＤ７は、外部入力端子６と補助電源４とを接続するまでの間のみ、限られた領域を点灯できればよいため、蓄電部８に貯める電荷量はそれほど多くは必要ない。
【００４８】
図７の回路図において、主電源２から給電が行われている場合は、各ＬＥＤ列２０のＬＥＤ２１を点灯しつつ、補助電源接続ボックス３５に備えられた蓄電部８（コンデンサ）に電荷が貯められる。主電源２からの給電が停止されると、抵抗Ｒ５の電圧に応じてスイッチ３２が切り替わり、蓄電部８から抵抗Ｒ３を介して補助ＬＥＤ７に電力が供給され、当該補助ＬＥＤ７を点灯する。このとき、蓄電部８からの電荷の漏れ、及びスイッチ３２の誤作動を防止するために、ダイオードＤ３を備えておく。
【００４９】
補助ＬＥＤ７が点灯している間に、コンセント３１を介して補助電源４を接続し、当該補助電源４が接続されると、接続中点２５の順方向に接続されたＬＥＤ２１を点灯する。
このように、本実施形態に係る照明装置においては、少なくとも外部入力端子と補助電源との接続部に光を照射する補助ＬＥＤと、主電源から供給される電荷で蓄電し、蓄電した電力を補助ＬＥＤに供給する蓄電手段とを備え、主電源からの給電が停止した場合に、蓄電手段により補助ＬＥＤを点灯するため、補助電源と外部入力端子とが常時接続されていない場合であっても、補助電源と外部入力端子との接続部に光を照射して接続作業を迅速で効率よく行うことができる。
【００５０】
以上の前記各実施形態により本発明を説明したが、本発明の技術的範囲は実施形態に記載の範囲には限定されず、これら各実施形態に多様な変更又は改良を加えることが可能である。そして、かような変更又は改良を加えた実施の形態も本発明の技術的範囲に含まれる。このことは、特許請求の範囲及び課題を解決する手段からも明らかなことである。
【符号の説明】
【００５１】
Ｄ１〜Ｄ３  ダイオード
Ｒ１〜Ｒ７  抵抗
１  照明システム
２  主電源
３  照明装置
４  補助電源
５  照明部
６  外部入力端子
７  補助ＬＥＤ
８  蓄電部
２０  ＬＥＤ列
２１  ＬＥＤ
２５  接続中点
３１  コンセント
３２  スイッチ
３５  補助電源接続ボックス
５１、５２  ＦＥＴ
【図１】
2011090968.tif 000003
【図２】
2011090968.tif 000004
【図３】
2011090968.tif 000005
【図４】
2011090968.tif 000006
【図５】
2011090968.tif 000007
【図６】
2011090968.tif 000008
【図７】
2011090968.tif 000009